(57)【要約】【課題】  デジタルカメラと直接接続して画像データを印字するプリンタにおいて、パソコンを持たない人でも、プリンタの故障状態や保守状況を容易に確認することができるプリンタを提供することを目的とするものである。【解決手段】  デジタルカメラと接続する接続手段と、プリンタの動作状態の情報を、画像データに変換する変換手段と、上記接続手段を介して接続されているデジタルカメラのメモリカードに、プリンタの動作状態を示す上記画像データを書き込む画像データ書き込み手段とを有するプリンタである。【選択図】  図１
2006334786.tif 000002
【特許請求の範囲】
【請求項１】
デジタルカメラと接続する接続手段と；
プリンタの動作状態の情報を、画像データに変換する変換手段と；
上記接続手段を介して接続されているデジタルカメラのメモリカードに、プリンタの動作状態を示す上記画像データを書き込む画像データ書き込み手段と；
を有することを特徴とするプリンタ。
【請求項２】
請求項１において、
上記プリンタの動作状態の情報は、上記プリンタの故障状態または保守状況の情報であることを特徴とするプリンタ。
【請求項３】
プリンタの動作状態の情報を、画像データに変換し、記憶装置に記憶する変換工程と；
上記プリンタに接続されているデジタルカメラのメモリカードに、上記プリンタの動作状態を示す上記画像データを書き込む画像データ書き込み工程と；
を有することを特徴とするプリンタの制御方法。
【請求項４】
請求項３において、
上記プリンタの動作状態の情報は、上記プリンタの故障状態または保守状況の情報であることを特徴とするプリンタの制御方法。
【発明の詳細な説明】
【技術分野】
【０００１】
本発明は、デジタルカメラと直接接続して画像データを印字するプリンタおよびプリンタの制御方法に関する。
【背景技術】
【０００２】
近年、デジタルカメラが普及し、プリンタで画像データを印字する人が急増している。
【０００３】
デジタルカメラをパソコンに接続し、画像データをパソコン経由でプリンタに印字する従来例において、手間がかかる弊害を除去するために、また、パソコン操作に慣れない人でも容易に操作できるようにするために、最近では、デジタルカメラをプリンタに直接接続して画像データを印字できるプリンタが発売されている。
【０００４】
また、デジタルカメラのデータを印字する際に、印字の進行状況のみをデジタルカメラの表示部に表示することが知られている（たとえば、特許文献１参照）
【特許文献１】特開２００２−０９４９１０号公報
【発明の開示】
【発明が解決しようとする課題】
【０００５】
従来は、プリンタが故障した場合や保守する場合に、プリンタとパソコンとが接続されているので、プリンタの故障状態や保守状況を、パソコン画面に表示することができる。
【０００６】
デジタルカメラを直接接続することができるプリンタは、パソコンと接続できる形態ではあるが、デジタルカメラの印字出力を目的とするので、パソコンを持たない人が使用することが多い。
【０００７】
上記従来例では、プリンタの動作状態を、デジタルカメラに表示することができないので、プリンタの動作状態を表示するには、デジタルカメラをパソコンに接続して確認せざるを得ず、パソコンを持たない人には、プリンタの動作状態を表示するための操作が非常に不便であるという問題がある。
【０００８】
本発明は、デジタルカメラと直接接続して画像データを印字するプリンタにおいて、パソコンを持たない人でも、プリンタの故障状態や保守状況を容易に確認することができるプリンタを提供することを目的とするものである。
【課題を解決するための手段】
【０００９】
本発明は、デジタルカメラと接続する接続手段と、プリンタの動作状態の情報を、画像データに変換する変換手段と、上記接続手段を介して接続されているデジタルカメラのメモリカードに、プリンタの動作状態を示す上記画像データを書き込む画像データ書き込み手段とを有するプリンタである。
【００１０】
また、本発明は、プリンタの動作状態の情報を、画像データに変換し、記憶装置に記憶する変換工程と、上記プリンタに接続されているデジタルカメラのメモリカードに、上記プリンタの動作状態を示す上記画像データを書き込む画像データ書き込み工程とを有するプリンタの制御方法である。
【発明の効果】
【００１１】
本発明によれば、デジタルカメラと直接接続して画像データを印字するプリンタにおいて、パソコンを持たない人でも、プリンタの故障状態や保守状況を容易に確認することができるという効果を奏する。
【発明を実施するための最良の形態】
【００１２】
発明を実施するための最良の形態は、次の実施例である。
【実施例１】
【００１３】
図１は、本発明の実施例１であるプリンタ１０と、デジタルカメラ２０とが直接接続されている状態を示す斜視図である。
【００１４】
プリンタ１０は、デジタルカメラ２０と接続するコネクタ１１を有し、ケーブル３０は、デジタルカメラ２０とプリンタ１０とを接続するケーブルである。
【００１５】
図２は、プリンタ１０からデジタルカメラ２０のメモリカード２２に、データを書き込みする動作の説明図である。
【００１６】
デジタルカメラ２０は、メモリカード２２を有する。
【００１７】
プリンタ１０には、デジタルカメラ２０と接続するコネクタ１１が設けられ、接続ケーブル３０とコネクタ１１とを介して、プリンタ１０がデジタルカメラ２０と直接接続されている。これによって、デジタルカメラ２０で撮影され、メモリカード２２に保存されている画像ファイルを、デジタルカメラ２０の液晶表示（図示せず）を確認しながら、デジタルカメラ２０側の操作に応じて、上記画像ファイルをプリンタ１０に印字する。
【００１８】
ところで、従来のデジタルカメラでは、デジタルカメラの液晶表示によって、ユーザが見ることができる内容は、画像ファイルを印字する操作に関する内容である。よって、従来のデジタルカメラでは、プリンタに不具合が発生した場合、デジタルカメラの液晶に不具合情報等を表示することができない。
【００１９】
実施例１では、プリンタ１０に不具合が発生し、保守状況を確認する場合、プリンタ１０のボタン（図示せず）を押すと、プリンタ１０が、不具合情報、保守状況を、ｊｐｅｇファイル形式で作成し、デジタルカメラ２０の内蔵メモリ（メモリカード２２）に書き込む。この場合における信号の流れを、図２に示してある。
【００２０】
つまり、コネクタ１１は、デジタルカメラと接続する接続手段の例である。また、プリンタ１０は、プリンタの動作状態の情報を、画像データに変換する変換手段を有し、また、上記接続手段を介して接続されているデジタルカメラのメモリカードに、プリンタの動作状態を示す上記画像データを書き込む画像データ書き込み手段を有する。
【００２１】
次に、実施例１の動作について説明する。
【００２２】
図３〜図８は、実施例１において、デジタルカメラ２０のメモリカード２２に転送された画像データであって、プリンタ１０の状態を表示する表示例を示す図である。
【００２３】
プリンタ１０の不具合、保守状況を、ユーザが確認したい場合、プリンタ１０のボタン（図示せず）を押すと、プリンタ１０は、そこに設けられているＲＯＭ等に格納されている所定のプログラムと、ＣＰＵとによって、不具合情報や保守状況のｊｐｅｇファイルを作成し、デジタルカメラ２０のメモリカード２２に転送する。デジタルカメラ２０のメモリカード２２に空きがない場合には、転送を行わない。
【００２４】
なお、上記所定のプログラムは、図９に示すフローチャートに対応するプログラムである。
【００２５】
上記のように、プリンタ１０の不具合、保守状況を、デジタルカメラ２０で取り扱いやすいｊｐｅｇファイルで転送し、ｊｐｅｇファイルをデジタルカメラ２０で視認することができるので、パソコンが無くても、プリンタ１０の不具合、保守状況を、ユーザが簡単に視認することができる。
【００２６】
図９は、実施例１における動作を示すフローチャートである。
【００２７】
Ｆ１では、デジタルカメラ２０で撮影した印字画像を選択し、Ｆ２では、印字画像の印字モードを選択する。この「印字モード」は、普通紙や高品位紙等の印字媒体を選択するだけではなく、きれい、はやい等の印字品位の選択をも含む。Ｆ３では、デジタルカメラ２０が印字開始する。
【００２８】
Ｆ４では、デジタルカメラ２０が印字開始し、印字する画像をメモリカード２２から読み取る。Ｆ５では、Ｆ４で読み取った画像データを、展開処理等する。Ｆ６では、Ｆ５で処理した画像データを、プリンタ１０（図示せず）へ転送する。
【００２９】
Ｆ７では、デジタルカメラ２０が現在印字している処理状況を、デジタルカメラ２０に設けられている液晶等に表示し、Ｆ８では、現在の印字が終了したかどうかを判断し、印字が終了していなければ、Ｆ９では、プリンタ１０の動作状況を表示する必要があるかどうかを判断する。プリンタ１０の動作状況を表示する必要があれば、たとえばインク吸収体が一杯になった場合、重大な故障が発生した場合には、Ｆ１０で、デジタルカメラ２０の液晶等に画面表示するに際して、デジタルカメラ２０の内部のメモリカード２２に書き込む空きエリアがあるかどうかを判断する。メモリカード２２に書き込む空きエリアがあれば、Ｆ１１では、プリンタ１０の動作状況を、メモリカード２２に書き込む。
【００３０】
Ｆ１２では、Ｆ１１で書き込まれた内容を、デジタルカメラ２０が液晶に表示し、メモリカード２２に書き込む空きエリアがなければ、Ｆ１３では、メモリカード２２に空きなしを表示する。
【００３１】
Ｆ８で印字が終了したと判断すれば、Ｆ１４では、印字画像１枚分の処理の終了処理を行い、Ｆ１５では、Ｆ１で選択した印字画像が全部終了したかどうかを判断する。
【００３２】
実施例１によれば、通常のピクトブリッジ等では表示することができないプリンタ１０の独自の状況を、プリンタ１０が、デジタルカメラ２０のメモリの空きエリアに書込み表示させることによって、表示可能になる。
【図面の簡単な説明】
【００３３】
【図１】本発明の実施例１であるプリンタ１０と、デジタルカメラ２０とが直接接続されている状態を示す斜視図である。
【図２】プリンタ１０からデジタルカメラ２０のメモリカード２２に、データを書き込みする動作の説明図である。
【図３】実施例１において、デジタルカメラ２０のメモリカード２２に転送された画像データであって、プリンタ１０の状態を表示する表示例を示す図である。
【図４】実施例１において、デジタルカメラ２０のメモリカード２２に転送された画像データであって、プリンタ１０の状態を表示する表示例を示す図である。
【図５】実施例１において、デジタルカメラ２０のメモリカード２２に転送された画像データであって、プリンタ１０の状態を表示する表示例を示す図である。
【図６】実施例１において、デジタルカメラ２０のメモリカード２２に転送された画像データであって、プリンタ１０の状態を表示する表示例を示す図である。
【図７】実施例１において、デジタルカメラ２０のメモリカード２２に転送された画像データであって、プリンタ１０の状態を表示する表示例を示す図である。
【図８】実施例１において、デジタルカメラ２０のメモリカード２２に転送された画像データであって、プリンタ１０の状態を表示する表示例を示す図である。
【図９】実施例１における動作を示すフローチャートである。
【符号の説明】
【００３４】
１０…プリンタ、
１１…コネクタ、
２０…デジタルカメラ、
２２…メモリカード、
３０…ケーブル。
【図１】
2006334786.tif 000003
【図２】
2006334786.tif 000004
【図３】
2006334786.tif 000005
【図４】
2006334786.tif 000006
【図５】
2006334786.tif 000007
【図６】
2006334786.tif 000008
【図７】
2006334786.tif 000009
【図８】
2006334786.tif 000010
【図９】
2006334786.tif 000011